(57)【特許請求の範囲】
【請求項１】
付勢力蓄積機構と、付勢力開放機構と、付勢力蓄積時引戸開力軽減機構とを備え、付勢力蓄積機構は、引戸を開けるときに作動し、引戸の移動量に応じて付勢力を蓄積するものであり、付勢力開放機構は、引戸を閉じるときに引戸が戸先側の所定位置に移動したときに作動し、蓄積した付勢力を開放するものであり、付勢力蓄積機構は、引戸移動方向において付勢力蓄積の開始位置及び終了位置を変更自在であり、付勢力開放機構は、引戸移動方向において付勢力開放の開始位置及び終了位置を変更自在であり、付勢力蓄積時引戸開力軽減機構は、引戸が開くときに作動するものであって、付勢力蓄積機構が付勢力を蓄えるときの開方向の引戸移動量を、付勢力開放機構が付勢力を開放するときの閉方向の引戸移動量よりも大きくすることを特徴とする引戸装置。
【発明の詳細な説明】
【技術分野】
【０００１】
本発明は、引戸装置に関する。
【背景技術】
【０００２】
非特許文献１には、枠に対して障子（引戸）を開閉するテラスタイプの引違いサッシが開示されている。
【先行技術文献】
【非特許文献】
【０００３】
【非特許文献１】第７２頁「三協アルミ  住宅建材  ウインドウ  総合カタログ  マディオＰ  引違い窓・装飾窓・アクセントシリーズ・出窓・勝手口・天窓  [在来／２×４]  ２０１４→２０１５」カタログＮｏ．ＳＴＪ０９５３Ａ  三協立山株式会社  三協アルミ社  ２０１４年２月発行
【発明の概要】
【発明が解決しようとする課題】
【０００４】
この種のテラスタイプのサッシ等の重量の重い引戸を閉め切るときは、操作者が力を入れて引戸を閉じる為に、枠に引戸が衝突する際の衝突音が大きくなるという問題があった。  
しかし、従来のテラスタイプのサッシ等ではそのような衝突音に対する配慮がなされていなかった。  
【０００５】
そこで、本発明は、引戸の締め切り時における衝突音の発生を軽減できる引戸装置の提供を目的とする。  
【課題を解決するための手段】
【０００６】
請求項１に記載の発明は、付勢力蓄積機構と、付勢力開放機構と、付勢力蓄積時引戸開力軽減機構とを備え、付勢力蓄積機構は、引戸を開けるときに作動し、引戸の移動量に応じて付勢力を蓄積するものであり、付勢力開放機構は、引戸を閉じるときに引戸が戸先側の所定位置に移動したときに作動し、蓄積した付勢力を開放するものであり、付勢力蓄積機構は、引戸移動方向において付勢力蓄積の開始位置及び終了位置を変更自在であり、付勢力開放機構は、引戸移動方向において付勢力開放の開始位置及び終了位置を変更自在であり、付勢力蓄積時引戸開力軽減機構は、引戸が開くときに作動するものであって、付勢力蓄積機構が付勢力を蓄えるときの開方向の引戸移動量を、付勢力開放機構が付勢力を開放するときの閉方向の引戸移動量よりも大きくすることを特徴とする引戸装置である。
【発明の効果】
【０００７】
請求項１に記載の発明によれば、付勢力蓄積機構が付勢力を蓄えるときの開方向の引戸移動量を、付勢力を開放するときの閉方向の引戸移動量よりも大きくしているから、引戸の締め切時に開放する付勢力が小さいので、引戸の締め切り時における衝突音の発生を軽減できる。また、付勢力を蓄積する為の引戸を開くときの力を軽減できる。  
【図面の簡単な説明】
【０００８】
【図１】本発明の第１実施の形態にかかる引戸装置の構成を示す正面図である。
【図２】本発明の第１実施の形態にかかる引戸装置であって、引戸の開き操作時における引戸が各位置にあるときの動きを説明する正面図であり、（ａ）は引戸が閉め切り位置にあるとき、（ｂ）は引戸を開き始めて付勢力蓄積機構が付勢力の蓄積を開始している状態、（ｃ）は付勢力蓄積機構が付勢力の蓄積を終了した状態、（ｄ）は付勢力蓄積機構が付勢力を蓄積したまま更に引戸を開いている状態である。
【図３】本発明の第１実施の形態にかかる引戸装置であって、引戸の閉じ操作時における引戸が各位置にあるときの動きを説明する正面図であり、（ｅ）は付勢力蓄積機構が付勢力を蓄積したまま引戸を閉じ始めている状態、（ｆ）は引戸の締め切り前で、勢力開放機構が作動する直前の状態、（ｇ）は戸の締め切り動作時であって、付勢力開放機構が作動して付勢力蓄積機構が蓄積した付勢力を開放している状態、（ｈ）は引戸を締め切って閉じた状態である。
【図４】図１に示すＡ−Ａ断面図である。
【図５】図２（ａ）に示すＢ−Ｂ断面図である。
【図６】本発明の第２実施の形態にかかる引戸装置の構成を示す正面図であって、引戸が閉じ切り状態にあるときの図である。
【図７】本発明の第２実施の形態にかかる引戸装置の構成を示す正面図であって、引戸が開き状態にあるときの図である。
【図８】図６に示すＣ−Ｃ断面図である。
【発明を実施するための形態】
【０００９】
以下に、本発明の実施の形態を説明するが、まず、添付図面の図１〜図５を参照して本発明の第１実施の形態を説明する。  
図１に示すように、本発明の第１実施の形態にかかる引戸装置１は、枠３と、引戸５と、引戸の開閉操作を制御するソフトクローズユニット７とを備えている。本実施の形態にかかる引戸装置１は、重量が重いテラスサッシである。  
図１、図４及び図５に示すように、枠３は上枠９と、下枠（図示せず）と、戸先枠１１と、戸尻枠（図示せず）を枠組みしてあり、引戸５には、上框１３の室内側面にソフトクローズユニット７が取り付けてある。引戸５は枠３に対して走行自在に設けてある。  
図１及び図４に示すように、上枠９には、ソフトクローズユニット７の移動軌跡に対応した位置で、引戸５の走行方向に間隔をあけて開トリガー１５と閉トリガー１７とが設けてある。  
図１に示すように、ソフトクローズユニット７は、ケース１９と、ケース１９内に収納して開トリガー１５又は閉トリガー１７により作動する付勢力蓄積機構２１と、付勢力開放機構２３と、付勢力蓄積時引戸開力軽減機構２４とを備えている。  
付勢力蓄積機構２１は、バネ２５と、バネ引張りスライダー２７と、開トリガー１５と、引き寄せスライダー３９と、開ラッチ４１を備えており、バネ２５は戸尻側端部２５ａを固定金具３１でケース１９に固定してあり、戸先側端部２５ｂをバネ引張りスライダー２７に取り付けてある。バネ２５は引張りコイルバネである。  
バネ引張りスライダー２７は、後述するバネ引張りスライダー案内溝４５に係合するスライド軸３７を有し、引戸５の走行方向にスライド自在としてある。  
閉ラッチ２９は、バネ引張りスライダー２７に回動自在に設けた回動軸２９ａと、ケース１９の側壁１９ａに対して移動自在に設けた移動軸２９ｂとを有し、バネ引張りスライダー２７に回動軸２９ａを中心に揺動自在に取り付けてある。  
引き寄せスライダー３９は、後述する引き寄せスライダー案内溝４７に係合するスライド軸４９を有し、引戸５の走行方向にスライド自在としてある。引き寄せスライダー３９には、後述するワイヤー４３の一端部４３ａが連結してある。  
開ラッチ４１は、回転軸４１ａと、ケース１９の側壁１９ａに対して移動自在に設けた移動軸４１ｂとを有し、引き寄せスライダー３９に回転軸４１ａを中心に揺動自在に取り付けてある。  
付勢力開放機構２３は、上述した閉ラッチ２９、閉トリガー１７とで構成してある。  
【００１０】
付勢力蓄積時引戸開力軽減機構２４は、動滑車５１と、固定滑車５３と、これらに架け渡したワイヤー４３とを備えている。  
動滑車５１はバネ引張りスライダー２７に回転自在に取り付けてある。動滑車５１の回転軸５１ａはケース１９の側壁１９ａに設けた動滑車案内溝５２をスライド自在に取り付けてある。  
固定滑車５３は、バネ引張りスライダー２７と引き寄せスライダー３９との間で、ケース１９の側壁１９ａに回転自在に固定してある。  
ワイヤー４３は、一端部４３ａを前述した引き寄せスライダー３９に取り付け、動滑車５１及び固定滑車５３に架け渡して、他端部４３ｂを動滑車５１の回転軸５１ａに固定してある。  
ケース１９の側壁１９ａには、閉ラッチ案内溝３３と開ラッチ案内溝３５が形成してあり、開ラッチ案内溝３５は閉ラッチ案内溝３３の戸先側に設けてある。閉ラッチ案内溝３３には、引戸５の走行方向に沿って設けた水平案内部３３ａと、水平案内部３３ａの戸先側端部で閉ラッチ２９を傾けて係止する戸先側係止部３３ｂと、水平案内部３５ａの戸尻側端部で閉ラッチ２９を傾けて係止する戸尻側係止部３３ｃとが形成してある。各係止部３３ｂ、３３ｃは、水平案内部３３ａから下方に連続してあり、閉ラッチ２９の戸先側を落ち込むようにしてある。  
開ラッチ案内溝３５には、引戸５の走行方向に沿って設けた水平案内部３５ａと、水平案内部３５ａの戸先側端部で開ラッチ４１を傾けて係止する戸先側係止部３５ｂが形成してある。係止部３５ｂは、水平案内部３５ａから下方に向けて連続してあり、開ラッチ４１の移動軸４１ｂを落ち込むようにしてある。  
また、ケース１９の側壁１９ａには、バネ引張りスライダー２７の移動を案内するバネ引張りスライダー案内溝４５、引き寄せスライダー案内溝４７、動滑車案内溝５２がそれぞれ引戸５の移動方向に沿う長孔状に形成してある。  
ケース１９には、バネ引張りスライダー２７の移動を緩衝するダンパー５５が設けてある。  
【００１１】
次に、引戸５の開閉操作について、開き操作及び閉じ操作とに分けて説明する。まず、開き操作について説明する。  
図２（ａ）に示すように、引戸５が締め切り位置にあるときには、バネ２５は付勢力を放出して縮んだ状態になっている。符号ｊで抜き出して示すように、閉ラッチ２９の移動軸２９ｂは閉ラッチ案内溝３３の戸尻側係止部３３ｃに落ちて、閉ラッチ２９は傾斜した状態になっている。  
一方、符号ｋで抜き出して示すように、開ラッチ４１は移動軸４１ｂが開ラッチ案内溝３５の水平案内部３５ａに位置しており、開トリガー１５に戸先側から係止した状態になっている。  
また、固定滑車５３と動滑車５１との間の距離は最も離れた位置にある。  
図２（ｂ）に示すように、引戸５を開き始めると、開ラッチ４１は開トリガー１５に係止したまま（抜き出し図ｋ参照）、引戸５が開き方向に移動するので、動滑車５１が戸先側に引き寄せられると共に動滑車５１を固定してあるバネ引張りスライダー２７を戸先側に移動することで、バネ２５は戸先側に引っ張られて蓄勢する。一方、符号ｍで抜き出して示すように、閉ラッチ２９は、移動軸２９ｂが閉ラッチ案内溝３３の戸尻側係止部３３ｃから水平案内部３３ａに位置し、立ち上がった状態となる。  
図２（ｃ）に示すように、バネ２５の蓄勢が終了すると、符号ｎで抜き出して示すように、閉ラッチ２９の移動軸２９ｂは、閉ラッチ案内溝３３の水平案内部３３ａから戸先側係止部３３ｂに移動して閉ラッチ２９を傾斜した状態にして係止する。これにより、バネ２５に蓄積された付勢力が保持される。  
一方、開ラッチ４１は、符号ｐで抜き出して示すように、移動軸４１ｂが水平案内部３５ａから戸先側係止部３５ｂへ落ちて、傾斜した状態となってその位置が保持される。これにより、開ラッチ４１は開トリガー１５の下を通過可能となる。  
図２（ｄ）に示すように、更に引戸５を戸尻側へ移動して引戸５の開き操作を続けた状態では、引戸５はバネ２５の付勢力を蓄積した状態のまま移動すると共に、閉ラッチ２９は傾斜した状態が維持され（抜き出し図ｎ参照）及び開ラッチ４１は下方に落ちた状態（抜き出し図ｐ参照）が維持される。  
【００１２】
ここで、バネ（付勢力蓄積機構）２５が付勢力を蓄えるときの開方向の引戸移動量Ｍと、バネ２５が付勢力を開放するときの閉方向の引戸移動量Ｌとの関係を説明する。  
この引戸移動量Ｌは、図３（ｆ）に示すように、引戸５を閉じ切るときに、バネ２５が蓄えた付勢力を開放することで引戸５が移動する移動量であり、また、図２（ａ）及び図３（ａ）に示すように、バネ２５が付勢力を開放するときの閉方向の引戸移動量Ｌは、閉ラッチ２９が移動する距離でもあり、閉ラッチ案内溝３３の水平案内部３３ａの長さとなる。  
一方、図２（ｃ）に示すように、バネ２５が付勢力を蓄えるときの開方向の引戸移動量Ｍは、バネ２５に付勢力を蓄えるために引戸５が開方向に移動する移動量であり、また、引戸移動量Ｍは、開ラッチ４１が移動する距離でもあり、開ラッチ案内溝３５の水平案内部３５ａの長さとなる。引戸移動量Ｌと引戸移動量Ｍとは、付勢力蓄積時引戸開力軽減機構２４で、動滑車５１と、固定滑車５３にワイヤー４３を架け渡した構成としてあることから、バネ２５の付勢力を蓄えるときの開方向の引戸移動量Ｍを、バネ２５が付勢力を開放するときの閉方向の引戸移動量Ｌよりも大きくなるようにしている。本実施の形態では、バネ２５が付勢力を開放するときの閉方向の引戸移動量Ｌに対して、バネ２５が付勢力を蓄えるときの開方向の引戸移動量Ｍを、例えば、３倍になるようにしているので、３Ｌ＝Ｍの関係になる。  
尚、図２に示すように、バネ２５が付勢力を開放するときの閉方向の引戸移動量Ｌは、付勢力を蓄積する為にバネ２５を引張る長さでもある。  
【００１３】
次に、引戸５の閉じ操作について説明する。  
図３（ｅ）に示すように、引戸５を開いた状態から閉じるときには、上述したように、バネ２５は引張り状態で蓄積した付勢力を保持したままの状態である。また、符号ｒで抜き出して示すように、開ラッチ４１の移動軸４１ｂは戸先側係止部３５ｂに落ち込んだ状態である。この状態で、操作者は引戸５を戸先側へ移動する。一方、閉ラッチ２９は移動軸２９ｂが閉ラッチ案内溝３３の戸先側係止部３３ｂに位置して傾斜した状態（抜き出し図ｑ参照）としてある。  
図３（ｆ）（ｇ）に示すように、引戸５が閉じ切る直前の状態にあるとき、閉ラッチ２９は閉トリガー１７に当接し、上方に向けて回動することで、符号ｕで抜き出して示すように、閉ラッチ２９の移動軸２９ｂが閉ラッチ案内溝３３の戸先側係止部３３ｂから水平案内部３３ａに移動して閉ラッチ２９を閉トリガー１７に係止する。これにより、閉ラッチ２９は閉ラッチ案内溝３３の水平案内部３３ａに対して相対的に移動可能になるので、付勢力開放機構２３が作動して、バネ２５に蓄積された付勢力の開放を開始する。このとき、開ラッチ４１は下がったままの状態（抜き出し図ｒ参照）で開トリガー１５の下を戸尻側から通過して開トリガー１５よりも戸先側に位置する。  
図３（ｇ）に示すように、バネ２５が蓄積された付勢力を開放するときには、バネ２５が縮み、バネ引張りスライダー２７が動滑車５１と共にバネ２５側へ移動する。尚、動滑車５１及び固定滑車５３に架け渡されたワイヤー４３を介して、引き寄せスライダー３９が引戸５の戸尻側へ引っ張られて移動する。これにより、符号ｔで抜き出して示すように、開ラッチ４１の移動軸４１ｂは開ラッチ案内溝３５の戸先側係止部３５ｂから水平案内部３５ａに移動して、上に突出した状態になる。  
即ち、引戸５は、バネ２５に蓄積された付勢力のみで移動できるので、ここからは、操作者はほとんど力を入れないで引戸５を閉じることができる。  
図３（ｈ）に示すように、バネ２５に蓄積された付勢力が全て開放されて、引戸５は戸先枠１１に当接し、引戸５を締め切る。そして、符号ｘで抜き出して示すように、閉ラッチ２９は、移動軸２９ｂが閉ラッチ案内溝３３の戸尻側係止部３３ｃに落ちて傾斜した状態になる。一方、開ラッチ４１は開トリガー１５に戸先側から当接した状態になる。  
【００１４】
尚、第１実施の形態にある付勢力蓄積時引戸開力軽減機構２４を備えていない場合には、重い引戸５を開閉するときに引戸５の重量に応じた強いバネが必要になるが、このような強いバネを用いると引戸５を開けるときに、バネの付勢力に抗するように開けることになるため、引戸５を開く力の増加に繋がると共に、引戸５を閉めるときは、強いバネで引戸を閉めるため、締め切り時における衝突音が大きくなってしまう。従って、第１実施の形態によれば、付勢力蓄積時引戸開力軽減機構２４を設け、付勢力蓄積機構２１が付勢力を蓄えるときの開方向の引戸移動量Ｍを、付勢力開放機構２３が付勢力を開放するときの閉方向の引戸移動量Ｌよりも大きくしているから、付勢力を蓄積する為の引戸５を開くときの力を軽減できると共に、引戸５の締め切時に開放する付勢力が小さいので、引戸５の締め切り時における衝突音の発生を軽減できる。  
付勢力蓄積時引戸開力軽減機構２４は、動滑車５１と固定滑車５３との組み合わせで構成してあるから、簡易な構成にできると共に動滑車５１及び固定滑車５３の数を変えることで付勢力を蓄えるときの開き方向の引戸移動量Ｍと、付勢力を開放するときの閉方向の引戸移動距離Ｌとの調整が容易にできる。  
付勢力蓄積機構２１と付勢力開放機構２３とは、開トリガー１５と開ラッチ４１、閉トリガー１７と閉ラッチ２９、を各々係止及び係止解除で制御しているので、構成が簡易であると共に、開トリガー１５及び閉トリガー１７の位置を変えることで、付勢力蓄積及び付勢力開放の開始及び終了のタイミングの調整や変更が容易である。  
ソフトクローズユニット７を引戸５に取り付け、上枠９に開トリガー１５及び閉トリガー１７を設ける構成としているので、施工が容易であると共に既存の引戸５にも簡単に取り付けできる。  
【００１５】
以下に、本発明の他の実施の形態を説明するが、以下に説明する実施の形態では、前述した第１実施の形態と同一の作用効果を奏する部分には同一の符号を付することによりその部分の説明を省略し、以下の説明では、第１実施の形態と主に異なる点を説明する。  
図６〜図８を参照して、本発明の第２実施の形態を説明する。  
この第２実施の形態では、付勢力蓄積時引戸開力軽減機構２４にギアとラックを用いていること及び付勢力蓄積機構２１には開トリガー１５と開ラッチ４１がないことが第１実施の形態と主に異なっている。  
即ち、図６に示すように、付勢力蓄積時引戸開力軽減機構２４は大ギア６１と、大ギア６１よりもギア比が小さい小ギア６３と、大ギア６１に歯合する枠側ラック６５と、小ギア６３に歯合するスライドラック６７を備えている。枠側ラック６５は上枠９に固定してあり、スライドラック６７はバネ引張りスライダー２７に固定してある。  
また、この第２実施の形態では、開トリガー１５及び開ラッチ４１を設けていない。  
【００１６】
この第２実施の形態では、図６に示すように、引戸５を閉じ切り状態から開くと、枠側ラック６５に歯合する大ギア６１がＴ１方向に回転し、大ギア６１に同軸で一体の固定してある中間ギア６２を介して小ギア６３がＴ１と反対方向に回転することで、小ギア６３に歯合しているスライドラック６７がバネ引張りスライダー２７と共に戸先側（Ｓ１）方向に移動する。これにより、図７に示すように、バネ引張りスライダー２７が付勢力蓄積機構２１のバネ２５を引張り、所定距離引っ張ると、閉ラッチ２９の移動軸２９ｂが閉ラッチ案内溝３３の水平案内部３３ａを移動した後、戸先側係止部３３ｂに係止して、蓄積した付勢力を保持する。  
この付勢力を蓄積した状態のまま更に引戸５を開くと、大ギア６１は枠側ラック６５から外れて、引戸５を開き切る。  
開き位置にある引戸５を閉じ操作するときには、引戸５を戸先側へ移動する。所定位置まで移動すると大ギア６１が枠側ラック６５と歯合を開始し、大ギア６１が図７に示すＴ２方向に回転し、大ギア６１に中間ギア６２を介して歯合する小ギア６３の回転により引戸側ラックは矢印Ｓ２方向に移動する。  
そして、閉ラッチ２９が閉トリガー１７に当接すると閉ラッチ２９が閉ラッチ案内溝３３の戸先側係止部３３ｂから水平案内部３３ａに移動して起き上がり、閉トリガー１７に係止する。これにより、付勢力蓄積機構２１のバネ２５に蓄積された付勢力が開放されて、バネ引張りスライダー２７をスライドラック６７と共に戸尻側（Ｅ２方向）へ移動する。スライドラック６７がバネ引張りスライダー案内溝４５をＥ２方向に移動すると、スライドラック６７に歯合している小ギア６３が時計方向に回転し、大ギア６１が反時計方向（Ｔ２方向）に回転することで、大ギア６１が歯合している枠側ラック６５を戸先枠１１側へ移動するので、引戸５は戸先枠１１に当接して締め切り状態になる。  
尚、この実施の形態では、大ギア６１と小ギアのギア比は３対１である。  
【００１７】
付勢力蓄積機構２１はバネ２５とバネ引張スライダー２７と閉ラッチ２９で構成してあり、付勢力開放機構２３は閉ラッチ２９と閉トリガー１７とで構成し、付勢力蓄積時引戸開力軽減機構２４は、大ギア６１、枠側ラック６５、小ギア６３及びスライドラック６７で構成している。  
また、第２実施の形態では、付勢力蓄積機構２１のバネ２５が付勢力を蓄えるときの引戸開方向の引戸移動量Ｍは大ギア６１が枠側ラック６５を移動する距離であり、付勢力開放機構２３が付勢力を開放するときの閉方向の引戸移動量Ｌは閉ラッチ案内溝３３の水平案内部の長さである。そして、付勢力蓄積機構２１のバネ２５が付勢力を蓄えるときの開方向の引戸移動量Ｍを、付勢力開放機構２３が付勢力を開放するときの閉方向の引戸移動量Ｌよりも大きくしてある。  
【００１８】
第２実施の形態によれば、付勢力蓄積時引戸開力軽減機構２４に動滑車５１と固定滑車５３とワイヤー４３を用いたことを除いて、第１実施の形態と同様の作用効果を奏することができる。  
この第２実施の形態では、第１実施の形態に用いた開ラッチ４１及び開トリガー１５が不要となり、付勢力蓄積機構２１の付勢力の開放と蓄積を一つの閉ラッチ２９と閉トリガー１７で行うことができる。  
【００１９】
第１実施の形態では、付勢力蓄積時引戸開力軽減機構２４を滑車５１、５３とワイヤー４３の構造としているので、第２実施の形態のギア６１、６３とラック６７の構造と比較して、シンプルな構造なのでコストを安くできる。また、第１実施の形態ではギア６１、６３やラック６７による噛み合い部分がないので静音性に優れる。
第２実施の形態では、付勢力蓄積時引戸開力軽減機構２４にギアとラックの構造とすることにより、第１実施の形態の滑車５１、５３とワイヤー４３の構造と比較して、機構全体の長さを小さくできる。更に、第１実施の形態では、滑車５１，５３に架け渡すワイヤー４３を用いることでワイヤー４３に伸びやたるみが生じる虞があるが、第２実施の形態ではこのような虞がないので、動力を確実に伝達できる。  
【００２０】
本発明は、上述した実施の形態に限らず、本発明の要旨を逸脱しない範囲で種々変形可能である。  
例えば、引戸装置１はテラスサッシに限らず、室内の部屋を仕切る引戸であっても良い。  
第１実施の形態において、バネ２５は引張りバネに限らず、ゼンマイバネであってもよい。  
第１実施の形態において、バネ２５が付勢力を蓄えるときの開方向の引戸移動量Ｍと、バネ２５が付勢力を開放するときの閉方向の引戸移動量Ｌとの関係は、Ｌ：Ｍ＝１：３の比にすることに限らず、Ｌ：Ｍ＝１：２やＬ：Ｍ＝１：４としても良く、バネ２５が付勢力を開放するときの閉方向の引戸移動量Ｌよりもバネ２５が付勢力を蓄えるときの開方向の引戸移動量Ｍの方が大きいものであれば良い。同様に、第２実施の形態において、バネ２５が付勢力を蓄えるときの開方向の引戸移動量Ｍに対してバネ２５が付勢力を開放するときの閉方向の引戸移動量Ｌとの関係は、大ギア６１と小ギア６３とのギア比を３：１にすることに限らず、２：１や４：１にしても良く、大ギア６１の方が小ギアよりもギア比が大きいものであれば良い。  
【符号の説明】
【００２１】
１    引戸装置
５    引戸
２１  付勢力蓄積機構
２３  付勢力開放機構
２４  付勢力蓄積時引戸開力軽減機構
Ｍ  付勢力蓄機構が付勢力を蓄えるときの開方向の引戸移動量
Ｌ  付勢力蓄機構が付勢力を開放するときの閉方向の引戸移動量
【図１】
0006499480.tif 000002
【図２】
0006499480.tif 000003
【図３】
0006499480.tif 000004
【図４】
0006499480.tif 000005
【図５】
0006499480.tif 000006
【図６】
0006499480.tif 000007
【図７】
0006499480.tif 000008
【図８】
0006499480.tif 000009